(57)【要約】【課題】複数の蓄電池が接続された電力供給システムにおいて、蓄電池の放電量の均等化を図ることができる電力供給システムを提供する。【解決手段】系統電源Ｋと負荷Ｈとを接続する電力経路Ｌに接続され、前記負荷Ｈへ電力を供給可能な複数の蓄電システム（第一蓄電システム１０、第二蓄電システム２０及び第三蓄電システム３０）を具備する電力供給システム１であって、蓄電池１２・２２・３２にそれぞれ接続され、前記蓄電池１２・２２・３２の放電電力量に基づいて算出した蓄電池残量設定値を、前記蓄電システム（第一蓄電システム１０、第二蓄電システム２０及び第三蓄電システム３０）にそれぞれ設定し、前記蓄電池１２・２２・３２の蓄電池残量が前記蓄電池残量設定値以下となると当該蓄電池１２・２２・３２の放電を禁止する制御部４０を具備する。【選択図】図１
2019106775.tif 000002
【特許請求の範囲】
【請求項１】
系統電源と負荷とを接続する電路に接続され、前記負荷へ電力を供給可能な複数の供給部を具備する電力供給システムであって、
前記供給部は、
前記電路を流通する電力を検出可能な検出部と、
電力を充電可能であると共に、前記検出部の検出値に基づいて当該充電された電力を放電する負荷追従運転を行うことで前記負荷へと電力を供給可能な蓄電池と、
を具備し、
前記電力供給システムは、
前記蓄電池の放電電力量に基づいて算出した第一の残量設定値を前記複数の供給部にそれぞれ設定し、前記蓄電池の蓄電池残量が前記第一の残量設定値以下となると当該蓄電池の放電を禁止する制御部を具備する、
電力供給システム。
【請求項２】
前記制御部は、
前記蓄電池の直近の所定期間の放電電力量を用いて前記第一の残量設定値を算出する、
請求項１に記載の電力供給システム。
【請求項３】
前記供給部は、
前記第一の残量設定値以下の値とされる第二の残量設定値が設定されており、
前記制御部は、
前記複数の供給部のうち、前記蓄電池の積算放電電力量が小さいものから順番に、前記蓄電池の放電優先順位を決定し、
前記系統電源からの電力が前記負荷へと供給された場合、
前記複数の蓄電池のうち蓄電池残量が前記第一の残量設定値以下となったものがあれば、当該蓄電池を有する供給部のうち、前記放電優先順位が最も高いものの前記第一の残量設定値を、前記第二の残量設定値に変更する設定を行い、前記蓄電池の蓄電池残量が前記第二の残量設定値以下となると当該蓄電池の放電を禁止する、
請求項１又は請求項２に記載の電力供給システム。
【請求項４】
前記供給部は、
自然エネルギーを利用して発電可能であると共に当該発電された電力を負荷及び前記蓄電池へと供給可能な発電部を具備し、
前記制御部は、
前記発電部によって発電された電力が前記系統電源へと逆潮流された場合、
前記複数の供給部のうち前記第二の残量設定値が設定されたものがあれば、当該第二の残量設定値が設定された供給部のうち、前記放電優先順位が最も低いものについて、前記第二の残量設定値を前記第一の残量設定値に変更する設定を行なう、
請求項３に記載の電力供給システム。
【発明の詳細な説明】
【技術分野】
【０００１】
本発明は、電力を充放電可能な複数の蓄電池を具備する電力供給システムの技術に関する。
【背景技術】
【０００２】
従来、系統電源と負荷との間に設けられた蓄電池を具備し、当該蓄電池の充放電の制御を実行する電力供給システムの技術は公知となっている。例えば、特許文献１に記載の如くである。
【０００３】
特許文献１には、商用電源と負荷とを接続する配電線に、蓄電装置を備える複数のユニットが接続された電力供給システムが記載されている。前記複数のユニットは、電力を充電可能な蓄電装置を備えている。
【０００４】
上述した特許文献１に記載される電力供給システムは、配電線を流通する電力に基づいて各ユニットから電力を出力させる負荷追従運転が行なわれる。また、上記電力供給システムでは、まず、最も下流側に配置されたユニットから電力を出力させ、当該ユニットからの電力だけでは消費電力を賄えない場合、前記ユニットよりも上流側に配置されたユニットから電力を出力させる運転が行なわれる。これにより、下流側に配置されたユニットの蓄電装置の充放電量が他の蓄電装置よりも大きくなり、各蓄電装置の充放電量に偏りが生じる。このため、複数接続された蓄電池の放電量を均等化し得る制御が実行されることが望ましい。
【先行技術文献】
【特許文献】
【０００５】
【特許文献１】特開２０１７−１６３７４７号公報
【発明の概要】
【発明が解決しようとする課題】
【０００６】
本発明は、以上の如き状況を鑑みてなされたものであり、その解決しようとする課題は、複数の蓄電池が接続された電力供給システムにおいて、複数の蓄電池の放電量の均等化を図ることが可能な電力供給システムを提供するものである。
【課題を解決するための手段】
【０００７】
本発明の解決しようとする課題は以上の如くであり、次にこの課題を解決するための手段を説明する。
【０００８】
即ち、請求項１においては、系統電源と負荷とを接続する電路に接続され、前記負荷へ電力を供給可能な複数の供給部を具備する電力供給システムであって、前記供給部は、前記電路を流通する電力を検出可能な検出部と、電力を充電可能であると共に、前記検出部の検出値に基づいて当該充電された電力を放電する負荷追従運転を行うことで前記負荷へと電力を供給可能な蓄電池と、を具備し、前記電力供給システムは、前記蓄電池の放電電力量に基づいて算出した第一の残量設定値を前記複数の供給部にそれぞれ設定し、前記蓄電池の蓄電池残量が前記第一の残量設定値以下となると当該蓄電池の放電を禁止する制御部を具備するものである。
【０００９】
請求項２においては、前記制御部は、前記蓄電池の直近の所定期間の放電電力量を用いて前記第一の残量設定値を算出するものである。
【００１０】
請求項３においては、前記供給部は、前記第一の残量設定値以下の値とされる第二の残量設定値が設定されており、前記制御部は、前記複数の供給部のうち、前記蓄電池の積算放電電力量が小さいものから順番に、前記蓄電池の放電優先順位を決定し、前記系統電源からの電力が前記負荷へと供給された場合、前記複数の蓄電池のうち蓄電池残量が前記第一の残量設定値以下となったものがあれば、当該蓄電池を有する供給部のうち、前記放電優先順位が最も高いものの前記第一の残量設定値を、前記第二の残量設定値に変更する設定を行い、前記蓄電池の蓄電池残量が前記第二の残量設定値以下となると当該蓄電池の放電を禁止するものである。
【００１１】
請求項４においては、前記供給部は、自然エネルギーを利用して発電可能であると共に当該発電された電力を負荷及び前記蓄電池へと供給可能な発電部を具備し、前記制御部は、前記発電部によって発電された電力が前記系統電源へと逆潮流された場合、前記複数の供給部のうち前記第二の残量設定値が設定されたものがあれば、当該第二の残量設定値が設定された供給部のうち、前記放電優先順位が最も低いものについて、前記第二の残量設定値を前記第一の残量設定値に変更する設定を行なうものである。
【発明の効果】
【００１２】
本発明の効果として、以下に示すような効果を奏する。
【００１３】
請求項１においては、複数の蓄電池が接続された電力供給システムにおいて、蓄電池の放電量の均等化を図ることができる。
【００１４】
請求項２においては、各蓄電池との間で値の差が比較的少ない直近の所定期間の放電電力量を用いて蓄電池残量設定値を算出することができる。
【００１５】
請求項３においては、複数の蓄電池の放電量の均等化を図りながらも、本来必要がない買電が行なわれることを回避することができる。
【００１６】
請求項４においては、複数の蓄電池の放電量の均等化を図ることができる。
【図面の簡単な説明】
【００１７】
【図１】第一実施形態に係る電力供給システムを示したブロック図。
【図２】制御部の動作を示したフローチャート。
【図３】電力供給システムを示したブロック図。
【図４】制御部の動作を示したフローチャート。
【図５】電力供給システムの電力の流れを示したブロック図。
【図６】第三蓄電システムの蓄電池の蓄電池残量が蓄電池残量設定値以下となった状態を示したブロック図。
【図７】第二蓄電システム及び第三蓄電システムの蓄電池の蓄電池残量が蓄電池残量設定値以下となった状態を示したブロック図。
【図８】全ての蓄電システムの蓄電池の蓄電池残量が蓄電池残量設定値以下となった状態を示したブロック図。
【図９】制御部の動作を示したフローチャート。
【図１０】第二蓄電システムの蓄電池残量設定値を停電用蓄電池残量に変更した状態を示したブロック図。
【図１１】全ての蓄電システムの蓄電池残量設定値を停電用蓄電池残量に変更した示したブロック図。
【図１２】第一蓄電システムの停電用蓄電池残量を蓄電池残量設定値に変更した状態を示したブロック図。
【発明を実施するための形態】
【００１８】
以下では、本発明の第一実施形態に係る電力供給システム１について説明する。
【００１９】
図１に示す電力供給システム１は、系統電源Ｋからの電力や、蓄電された電力を負荷Ｈへと供給するものである。第一実施形態に係る電力供給システム１は、集合住宅に設けられ、当該集合住宅の負荷Ｈ（例えば、複数の住宅の機器等）へと電力を供給する。
【００２０】
電力供給システム１は、系統電源Ｋから負荷Ｈへと電力を供給する電力経路Ｌに、第一蓄電システム１０、第二蓄電システム２０及び第三蓄電システム３０が接続されている。第一蓄電システム１０、第二蓄電システム２０及び第三蓄電システム３０は、集合住宅を構成する複数（図例では３つ）の住宅にそれぞれ所有される。電力供給システム１は、蓄電システム（第一蓄電システム１０、第二蓄電システム２０及び第三蓄電システム３０）を所有する住宅間において、電力が余った住宅の電力を、電力が不足する住宅に融通可能とされている。なお、第一蓄電システム１０、第二蓄電システム２０及び第三蓄電システム３０の詳細な説明は後述する。電力供給システム１は、主として第一蓄電システム１０、第二蓄電システム２０、第三蓄電システム３０及び制御部４０を具備する。
【００２１】
第一蓄電システム１０は、太陽光を利用して発電された電力を蓄電したり、負荷Ｈへと供給するものである。第一蓄電システム１０は、太陽光発電部１１、蓄電池１２、ハイブリッドパワコン１３及びセンサ１４を具備する。
【００２２】
太陽光発電部１１は、太陽光を利用して発電する装置である。太陽光発電部１１は、太陽電池パネル等により構成される。太陽光発電部１１は、例えば、住宅の屋根の上等の日当たりの良い場所に設置される。
【００２３】
蓄電池１２は、電力を充電可能に構成されるものである。蓄電池１２は、例えば、リチウムイオン電池により構成される。蓄電池１２は、後述するハイブリッドパワコン１３等を介して太陽光発電部１１と接続される。なお、蓄電池１２は、その蓄電池容量が６（ｋＷｈ）であるものとする。
【００２４】
ハイブリッドパワコン１３は、電力を適宜変換するもの（ハイブリッドパワーコンディショナ）である。ハイブリッドパワコン１３は、太陽光発電部１１で発電された電力及び蓄電池１２から放電された電力を負荷Ｈに出力可能であると共に、太陽光発電部１１で発電された電力及び系統電源Ｋからの電力を蓄電池１２に出力可能に構成される。ハイブリッドパワコン１３は、電力経路Ｌの第一接続点Ｐ１と接続される。
【００２５】
また、ハイブリッドパワコン１３は、蓄電池１２の蓄電池残量が、後述する蓄電池残量設定値未満または停電用蓄電池残量未満とならないように、蓄電池残量が、蓄電池残量設定値または停電用蓄電池残量となると当該蓄電池の放電を禁止する。
【００２６】
センサ１４は、電力経路Ｌにおいて、第一接続点Ｐ１と後述する第二蓄電システム２０が接続される第二接続点Ｐ２との間に設けられる。センサ１４は、設けられた箇所を流通する電力（例えば、負荷Ｈ及び蓄電池１２へと供給される電力）の電圧（供給電圧）及び電流（供給電流）を検出する。センサ１４は、ハイブリッドパワコン１３と接続され、検出結果に関する信号をハイブリッドパワコン１３へ出力可能に構成される。
【００２７】
第二蓄電システム２０は、第一蓄電システム１０よりも電力経路Ｌの上流側（系統電源Ｋ側）の第二接続点Ｐ２に接続される点を除いて、第一蓄電システム１０と同様に構成される。具体的には、第二蓄電システム２０の太陽光発電部２１、蓄電池２２、ハイブリッドパワコン２３及びセンサ２４は、それぞれ第一蓄電システム１０の太陽光発電部１１、蓄電池１２、ハイブリッドパワコン１３及びセンサ１４に相当する。
【００２８】
第三蓄電システム３０は、第二蓄電システム２０よりも電力経路Ｌの上流側の第三接続点Ｐ３に接続される点を除いて、第一蓄電システム１０と同様に構成される。具体的には、第三蓄電システム３０の太陽光発電部３１、蓄電池３２、ハイブリッドパワコン３３及びセンサ３４は、それぞれ第一蓄電システム１０の太陽光発電部１１、蓄電池１２、ハイブリッドパワコン１３及びセンサ１４に相当する。
【００２９】
制御部４０は、第一蓄電システム１０、第二蓄電システム２０及び第三蓄電システム３０の情報を管理すると共に、第一蓄電システム１０、第二蓄電システム２０及び第三蓄電システム３０の動作を制御するものである。制御部４０は、主としてＣＰＵ等の演算処理装置、ＲＡＭやＲＯＭ等の記憶装置、並びにタッチパネル等の入出力装置等により構成される。制御部４０は、太陽光発電部１１・２１・３１で発電された電力の出力や、蓄電池１２・２２・３２の充放電を制御することができる。また、制御部４０は、プログラムや種々の情報を前記記憶装置に格納しており、当該プログラムや種々の情報を演算処理装置で読み込んで処理することで、電力供給システム１の動作等を実行することができる。このような制御部４０は、例えば、ＥＭＳ（Ｅｎｅｒｇｙ  Ｍａｎａｇｅｍｅｎｔ  Ｓｙｓｔｅｍ）によって構成される。
【００３０】
また、制御部４０は、ハイブリッドパワコン１３・２３・３３と接続される。制御部４０は、ハイブリッドパワコン１３・２３・３３から出力された信号により、センサ１４・２４・３４の検出結果や太陽光発電部１１・２１・３１及び蓄電池１２・２２・３２の運転状態に関する情報を取得することができる。
【００３１】
また、制御部４０は、第一蓄電システム１０、第二蓄電システム２０及び第三蓄電システム３０に、それぞれ放電優先順位を設定する制御を実行可能とされている。本実施形態において、放電優先順位とは、後述する蓄電池残量変更処理に用いられる順位であって、複数の蓄電システム（第一蓄電システム１０、第二蓄電システム２０及び第三蓄電システム３０）の中での放電の優先順位である。
【００３２】
また、制御部４０は、第一蓄電システム１０、第二蓄電システム２０及び第三蓄電システム３０のハイブリッドパワコン１３・２３・３３に、それぞれ蓄電池残量設定値を設定可能とされている。本実施形態において、蓄電池残量設定値とは、蓄電池１２・２２・３２に最低限確保すべき残量の目標値である。また、本実施形態では、蓄電池残量設定値を、蓄電池１２・２２・３２の蓄電池容量に対する割合を百分率で示したものとしている。
【００３３】
また、制御部４０は、第一蓄電システム１０、第二蓄電システム２０及び第三蓄電システム３０のハイブリッドパワコン１３・２３・３３に、それぞれ停電用蓄電池残量を設定可能とされている。本実施形態において、停電用蓄電池残量とは、蓄電池残量設定値以下の値であって、停電状態（系統電源Ｋからの電力が供給不能となった状態）において負荷Ｈに電力を供給するための予備電源として、非停電状態（系統電源Ｋからの電力が供給可能な状態）において蓄電池１２・２２・３２に確保すべき残量の目標値である。本実施形態では、停電用蓄電池残量を、蓄電池１２・２２・３２の蓄電池容量に対する割合を百分率で示したものとしている。また、本実施形態では、蓄電池１２・２２・３２の停電用蓄電池残量をそれぞれ蓄電池容量に対して３０％としている。なお、停電用蓄電池残量の値は、これに限定されるものではなく、適宜の値を設定可能である。
【００３４】
また、制御部４０は、電力経路Ｌにおいて、最も上流側に位置する第三蓄電システム３０のセンサ３４の検出値に基づいて、売電状態であるか否かを判断可能とされている。本実施形態に係る売電状態とは、太陽光発電部１１・２１・３１の少なくともいずれか１台からの電力を系統電源Ｋへと逆潮流させている状態を指す。また、制御部４０は、センサ１４・２４・３４の検出値に基づいて、買電状態であるか否かを判断可能とされている。本実施形態に係る買電状態とは、系統電源Ｋ側から負荷Ｈへ向けて電力が流通している状態を指す。
【００３５】
以下では、上述の如く構成された電力供給システム１において、蓄電池１２・２２・３２及び負荷Ｈへ電力を供給する流れについて、簡単に説明する。
【００３６】
系統電源Ｋや太陽光発電部１１・２１・３１からの電力は、電力経路Ｌを介して負荷Ｈへ供給される。こうして、住宅の居住者は、系統電源Ｋや、太陽光発電部１１・２１・３１からの電力を用いて照明を点灯させたり、調理器具やエアコンを使用したりすることができる。
【００３７】
この場合において、負荷Ｈの消費電力が太陽光発電部１１・２１・３１からの電力で賄える場合には、系統電源Ｋからの電力を用いないことも可能である。このようにして系統電源Ｋからの買電量を減少させ、電力料金を節約することができる。
【００３８】
また、系統電源Ｋや太陽光発電部１１・２１・３１からの電力は、適宜の時間帯に蓄電池１２・２２・３２に供給することができる。蓄電池１２・２２・３２に供給された電力は、当該蓄電池１２・２２・３２に充電することができる。蓄電池１２・２２・３２が充電される時間帯は、居住者の任意に設定することができる。例えば、前記時間帯を深夜に設定すれば、料金の安い深夜電力を蓄電池１２・２２・３２に充電することができる。また、前記時間帯を昼間の時間帯に設定すれば、太陽光発電部１１・２１・３１からの電力を蓄電池１２・２２・３２に充電することができる。
【００３９】
また、蓄電池１２・２２・３２に充電された電力は、電力経路Ｌを介して負荷Ｈへ供給することができる。具体的には、蓄電池１２・２２・３２を放電すると、当該放電された電力が電力経路Ｌを介して負荷Ｈに供給される。蓄電池１２・２２・３２が放電される時間帯は、居住者の任意に設定することができる。例えば、前記時間帯を昼間の時間帯に設定すれば、蓄電池１２・２２・３２に充電した料金の安い深夜電力を当該昼間の時間帯に用いることができる。こうして、昼間の時間帯に系統電源Ｋからの電力量（買電量）を減少させ、電力料金を節約することができる。
【００４０】
次に、電力供給システム１における電力の供給態様（モード）について説明する。
【００４１】
電力供給システム１は、電力の供給態様としてエコモード等を有する。
【００４２】
エコモードは、太陽光発電部１１・２１・３１で発電した電力の負荷Ｈでの消費（負荷Ｈで消費することで省エネ効果を得ること）を目的としたモードである。エコモードが設定されたハイブリッドパワコン１３・２３・３３は、太陽光発電部１１・２１・３１で発電が行われている場合に、当該太陽光発電部１１・２１・３１からの電力を負荷Ｈに供給する。また、ハイブリッドパワコン１３・２３・３３は、太陽光発電部１１・２１・３１からの電力が負荷Ｈの消費電力に対して余剰すると、当該余剰電力を蓄電池１２・２２・３２に充電する。ハイブリッドパワコン１３・２３・３３は、蓄電池１２・２２・３２を最大充電量（蓄電池１２が単位時間当たりに充電可能な最大の電力量）で充電しても太陽光発電部１１・２１・３１からの電力が依然として余剰する場合に、当該余剰電力を系統電源Ｋへと逆潮流させる。
【００４３】
上記負荷Ｈへの電力の供給において、ハイブリッドパワコン１３・２３・３３は、センサ４１・４２・４３の検出結果に基づいて蓄電池１２・２２・３２の放電量を決定する負荷追従運転を行う。
【００４４】
以下、電力供給システム１において、負荷追従運転が行なわれた場合、負荷Ｈへ電力を供給する流れについて、簡単に説明する。まず、負荷Ｈで電力の消費が発生すれば、電力経路Ｌを介して系統電源Ｋから負荷Ｈへ電力が供給される。この際、センサ１４・２４・３４は、電力経路Ｌを流通する電力を検出すると共に、検出値に応じて蓄電池１２・２４・３４を放電させ、電力を負荷Ｈに供給する。なお、太陽光発電部１１・２１・３１で発電が行われている場合には、太陽光発電部１１・２１・３１で発電された電力が、蓄電池１２・２２・３２の放電に優先して負荷Ｈへ供給される。
【００４５】
なお、エコモードが設定されたハイブリッドパワコン１３・２３・３３は、蓄電池１２・２２・３２が満充電となると、蓄電池１２・２２・３２の充電を禁止し、負荷Ｈの消費電力に対して余剰した全ての電力を系統電源Ｋへと逆潮流させる。また、ハイブリッドパワコン１３・２３・３３は、太陽光発電部１１・２１・３１からの電力が負荷Ｈの消費電力に対して不足すると、蓄電池１２・２２・３２を放電させて当該蓄電池１２・２２・３２からの電力を負荷Ｈに供給する。
【００４６】
本実施形態に係る電力供給システム１は、図２に示すように、第一蓄電システム１０、第二蓄電システム２０及び第三蓄電システム３０に放電優先順位を設定する。以下では、放電優先順位を設定する放電優先順位設定処理について説明する。
【００４７】
図２に示すように、まず、ステップＳ１０において、制御部４０は、第一蓄電システム１０、第二蓄電システム２０及び第三蓄電システム３０の当日までの積算放電電力量Ａ・Ｂ・Ｃを取得する。本実施形態において、当日までの積算放電電力量Ａ・Ｂ・Ｃとは、第一蓄電システム１０、第二蓄電システム２０及び第三蓄電システム３０を設置した時から当日までに、当該第一蓄電システム１０、第二蓄電システム２０及び第三蓄電システム３０の蓄電池１２・２２・３２が放電した総放電電力量を指す。制御部４０は、ステップＳ１０の処理が終了すると、ステップＳ２０へ移行する。
【００４８】
ステップＳ２０において、制御部４０は、当日までの積算放電電力量Ａ・Ｂ・Ｃが少ないものから順番に、第一蓄電システム１０、第二蓄電システム２０及び第三蓄電システム３０の放電優先順位を決定する。制御部４０は、ステップＳ２０の処理が終了すると、ステップＳ３０へ移行する。
【００４９】
ステップＳ３０において、制御部４０は、第一蓄電システム１０、第二蓄電システム２０及び第三蓄電システム３０に、決定された放電優先順位を設定する。制御部４０は、ステップＳ３０の処理が終了すると、放電優先順位設定処理を終了する。
【００５０】
制御部４０は、例えば、図３に示す電力供給システム１に放電優先順位を設定する場合、以下のように上記ステップＳ１０〜Ｓ３０の処理を実行する。
【００５１】
図３では、第一蓄電システム１０、第二蓄電システム２０及び第三蓄電システム３０の当日までの積算放電電力量Ａ・Ｂ・Ｃは、それぞれ、４（ｋＷｈ）、３（ｋＷｈ）、２（ｋＷｈ）である（ステップＳ１０）ので、第三蓄電システム３０の放電優先順位が最も高く、次いで第二蓄電システム２０、第一蓄電システム１０の順で、放電優先順位が決定される（ステップＳ２０）。制御部４０は、上記放電優先順位を、第一蓄電システム１０、第二蓄電システム２０及び第三蓄電システム３０に、設定する（ステップＳ３０）。
【００５２】
また、電力供給システム１は、図４に示すように、第一蓄電システム１０、第二蓄電システム２０及び第三蓄電システム３０に、蓄電池残量設定値を設定する。以下では、蓄電池残量設定値を設定する蓄電池残量設定処理について説明する。
【００５３】
まず、ステップＳ１１０において、制御部４０は、第一蓄電システム１０、第二蓄電システム２０及び第三蓄電システム３０の当日までの積算放電電力量Ａ・Ｂ・Ｃを取得する。制御部４０は、ステップＳ１１０の処理が終了すると、ステップＳ１２０へ移行する。
【００５４】
ステップＳ１２０において、制御部４０は、第一蓄電システム１０、第二蓄電システム２０及び第三蓄電システム３０の前日の放電電力量を求める。第一蓄電システム１０、第二蓄電システム２０及び第三蓄電システム３０の前日の放電電力量ａ・ｂ・ｃは、以下の数１を用いて算出することができる。
第一蓄電システム１０の前日の放電電力量ａ＝Ａ−Ａ´    
第二蓄電システム２０の前日の放電電力量ｂ＝Ｂ−Ｂ´    
第三蓄電システム３０の前日の放電電力量ｃ＝Ｃ−Ｃ´    （数１）
【００５５】
ここで、Ａ´は、前日までの積算放電電力量である。つまり、前日の放電電力量ａ・ｂ・ｃは、第一蓄電システム１０、第二蓄電システム２０及び第三蓄電システム３０のそれぞれについて、当日までの積算放電電力量Ａ・Ｂ・Ｃから前日までの積算放電電力量Ａ´・Ｂ´・Ｃ´を減算して求められる。制御部４０は、ステップＳ１２０の処理が終了すると、ステップＳ１３０へ移行する。
【００５６】
ステップＳ１３０において、制御部４０は、第一蓄電システム１０、第二蓄電システム２０及び第三蓄電システム３０の前日の放電電力量ａ・ｂ・ｃから、前日の平均放電電力量αを求める。本実施形態において、前日の平均放電電力量αとは、第一蓄電システム１０、第二蓄電システム２０及び第三蓄電システム３０の前日の放電電力量ａ・ｂ・ｃの平均値である。前日の平均放電電力量αは、以下の数２を用いて算出することができる。なお、上記前日の平均放電電力量αは、数２を用いて算出した値の少数第一位を四捨五入した値とする。
前日の平均放電電力量α＝（ａ＋ｂ＋ｃ）／Ｎ    （数２）
【００５７】
ここで、Ｎは、蓄電システム（第一蓄電システム１０、第二蓄電システム２０及び第三蓄電システム３０）の台数（本実施形態では３台）である。制御部４０は、ステップＳ１３０の処理が終了すると、ステップＳ１４０へ移行する。
【００５８】
ステップＳ１４０において、制御部４０は、第一蓄電システム１０、第二蓄電システム２０及び第三蓄電システム３０の当日までの積算放電電力量Ａ・Ｂ・Ｃから、積算平均放電電力量βを求める。本実施形態において、積算平均放電電力量βとは、第一蓄電システム１０、第二蓄電システム２０及び第三蓄電システム３０の当日までの積算放電電力量Ａ・Ｂ・Ｃの平均値である。積算平均放電電力量βは、以下の数３を用いて算出することができる。なお、上記積算平均放電電力量βは、数３を用いて算出した値の少数第一位を四捨五入した値とする。
積算平均放電電力量β＝（Ａ＋Ｂ＋Ｃ）／Ｎ    （数３）
【００５９】
制御部４０は、ステップＳ１４０の処理が終了すると、ステップＳ１５０へ移行する。
【００６０】
ステップＳ１５０において、制御部４０は、第一蓄電システム１０、第二蓄電システム２０及び第三蓄電システム３０の蓄電池残量設定値を求める。第一蓄電システム１０、第二蓄電システム２０及び第三蓄電システム３０の蓄電池残量設定値は、以下の数４を用いて算出することができる。なお、上記蓄電池残量設定値は、数４を用いて算出した値の少数第一位を四捨五入した値とする。
第一蓄電システム１０の蓄電池残量設定値＝（１−（α＋（β−Ａ））／Ｇ）×１００
第二蓄電システム２０の蓄電池残量設定値＝（１−（α＋（β−Ｂ））／Ｇ）×１００
第三蓄電システム３０の蓄電池残量設定値＝（１−（α＋（β−Ｃ））／Ｇ）×１００    （数４）
【００６１】
ここで、Ｇは、蓄電池１２・２２・３２の蓄電池容量である。ステップＳ１５０では、積算平均放電電力量βから、第一蓄電システム１０、第二蓄電システム２０及び第三蓄電システム３０の当日までの積算放電電力量Ａ・Ｂ・Ｃを減算した差を求め、当該差に、前日の平均放電電力量αを加算した値を、蓄電池１２・２２・３２の蓄電池容量Ｇで除算した値に基づいて算出している。制御部４０は、ステップＳ１５０の処理が終了すると、ステップＳ１６０へ移行する。
【００６２】
ステップＳ１６０において、制御部４０は、蓄電池残量設定値が１００％以上の蓄電システム（第一蓄電システム１０、第二蓄電システム２０及び第三蓄電システム３０）があるか否かを判断する。制御部４０は、蓄電池残量設定値が１００％以上の蓄電システム（第一蓄電システム１０、第二蓄電システム２０及び第三蓄電システム３０）があると判断した場合には、ステップＳ１７０へ移行する。一方、制御部４０は、蓄電池残量設定値が１００％以上の蓄電システム（第一蓄電システム１０、第二蓄電システム２０及び第三蓄電システム３０）がないと判断した場合には、ステップＳ１８０へ移行する。
【００６３】
ステップＳ１７０において、制御部４０は、蓄電池残量設定値が１００％以上の蓄電システム（第一蓄電システム１０、第二蓄電システム２０及び第三蓄電システム３０）について、蓄電池残量設定値が１００％となるようにする。これにより、１００％を上回るような蓄電池残量設定値が設定されることを回避することができる。制御部４０は、ステップＳ１７０の処理が終了すると、ステップＳ１８０へ移行する。
【００６４】
ステップＳ１８０において、制御部４０は、蓄電池残量設定値が、停電用蓄電池残量以下の蓄電システム（第一蓄電システム１０、第二蓄電システム２０及び第三蓄電システム３０）があるか否かを判断する。制御部４０は、蓄電池残量設定値が、停電用蓄電池残量以下の蓄電システム（第一蓄電システム１０、第二蓄電システム２０及び第三蓄電システム３０）があると判断した場合には、ステップＳ１９０へ移行する。一方、制御部４０は、蓄電池残量設定値が、停電用蓄電池残量以下の蓄電システム（第一蓄電システム１０、第二蓄電システム２０及び第三蓄電システム３０）がないと判断した場合には、ステップＳ２００へ移行する。
【００６５】
ステップＳ１９０において、制御部４０は、蓄電池残量設定値が、停電用蓄電池残量以下の蓄電システム（第一蓄電システム１０、第二蓄電システム２０及び第三蓄電システム３０）について、蓄電池残量設定値が、停電用蓄電池残量（３０％）となるように設定する。これにより、停電用蓄電池残量（３０％）を下回るような蓄電池残量設定値が設定されることを回避することができる。制御部４０は、ステップＳ１９０の処理が終了すると、ステップＳ２００へ移行する。
【００６６】
ステップＳ２００において、制御部４０は、第一蓄電システム１０、第二蓄電システム２０及び第三蓄電システム３０について、上記ステップにより決定した蓄電池残量設定値を設定する。制御部４０は、ステップＳ２００の処理が終了すると、蓄電池残量設定処理を終了する。
【００６７】
以下、図３を参照して、蓄電池残量設定処理の一例について説明する。
【００６８】
図３に示す電力供給システム１において、第一蓄電システム１０、第二蓄電システム２０及び第三蓄電システム３０の当日までの積算放電電力量Ａ・Ｂ・Ｃは、それぞれ４（ｋＷｈ）、３（ｋＷｈ）、２（ｋＷｈ）である。また、第一蓄電システム１０、第二蓄電システム２０及び第三蓄電システム３０の前日までの積算放電電力量Ａ´・Ｂ´・Ｃ´は、それぞれ０（ｋＷｈ）であるので、上述した数１より、第一蓄電システム１０、第二蓄電システム２０及び第三蓄電システム３０の前日の放電電力量ａ・ｂ・ｃは、それぞれ４（ｋＷｈ）、３（ｋＷｈ）、２（ｋＷｈ）である（ステップＳ１１０、Ｓ１２０）。したがって、電力供給システム１の前日の平均放電電力量αは、上述した数２より、３（ｋＷｈ）である（ステップＳ１３０）。
【００６９】
また、図３に示す電力供給システム１において、第一蓄電システム１０、第二蓄電システム２０及び第三蓄電システム３０の当日までの積算放電電力量Ａ・Ｂ・Ｃは、それぞれ４（ｋＷｈ）、３（ｋＷｈ）、２（ｋＷｈ）である。したがって、電力供給システム１の積算平均放電電力量βは、上述した数３より、３（ｋＷｈ）である（ステップＳ１４０）。
【００７０】
また、以上により算出した当日までの積算放電電力量Ａ・Ｂ・Ｃと、平均放電電力量αと、積算平均放電電力量βと、蓄電池１２・２２・３２の蓄電池容量Ｇと、を用いて、第一蓄電システム１０、第二蓄電システム２０及び第三蓄電システム３０の蓄電池残量設定値が求められる。第一蓄電システム１０、第二蓄電システム２０及び第三蓄電システム３０の蓄電池残量設定値は、上述した数４より、それぞれ蓄電池１２・２２・３２の蓄電池容量Ｇに対して７０％、５０％、３０％である（ステップＳ１５０）。
【００７１】
上記第一蓄電システム１０、第二蓄電システム２０及び第三蓄電システム３０の蓄電池残量設定値は、いずれも１００％以下であり（ステップＳ１６０：ＮＯ）、停電用充電残量（３０％）以上であるので（ステップＳ１８０：ＮＯ）、制御部４０は、上記蓄電池残量設定値を、第一蓄電システム１０、第二蓄電システム２０及び第三蓄電システム３０にそれぞれ設定する（ステップＳ２００）。
【００７２】
次に、上述した放電優先順位及び蓄電池残量設定値が設定された電力供給システム１において、負荷Ｈへ電力を供給する流れについて説明する。なお、以下の説明では、電力供給システム１は、エコモードが設定されているものとする。また、以下の説明では、太陽光発電部１１・２１・３１から出力される電力はないものとする。
【００７３】
図５から図８までに示すように、電力供給システム１は、第一蓄電システム１０、第二蓄電システム２０及び第三蓄電システム３０から負荷Ｈへ電力を供給する。図５では、第一蓄電システム１０、第二蓄電システム２０及び第三蓄電システム３０の蓄電池１２・２２・３２の蓄電池残量を、それぞれ１００％とした例を示している。
【００７４】
また、図６では、第一蓄電システム１０の蓄電池１２の蓄電池残量（７０％）が、当該第一蓄電システム１０に設定された蓄電池残量設定値（７０％）以下となった例を示している。この場合、制御部４０は、蓄電池１２からの電力の放電を禁止する。これにより、負荷Ｈの消費電力に対して第二蓄電システム２０及び第三蓄電システム３０によって賄えない分の電力は、系統電源Ｋから供給（買電）される。これにより、電力経路Ｌを流通する電力に基づく負荷追従運転が行なわれることにより、第二蓄電システム２０及び第三蓄電システム３０の蓄電池２２・３２による放電の出力が増加される。また、図６では、第二蓄電システム２０及び第三蓄電システム３０の蓄電池２２・３２の蓄電池残量を、それぞれ７０％とした例を示している。
【００７５】
図７では、第二蓄電システム２０の蓄電池２２の蓄電池残量（５０％）が、当該第二蓄電システム２０に設定された蓄電池残量設定値（５０％）以下となった例を示している。この場合、制御部４０は、蓄電池２２からの電力の放電を禁止する。これにより、負荷Ｈの消費電力に対して第三蓄電システム３０によって賄えない分の電力は、系統電源Ｋから供給（買電）される。これにより、電力経路Ｌを流通する電力に基づく負荷追従運転が行なわれることにより、第三蓄電システム３０の蓄電池３２による放電の出力が増加される。また、図７では、第三蓄電システム３０の蓄電池３２の蓄電池残量は５０％とした例を示している。
【００７６】
図８では、第三蓄電システム３０の蓄電池３２の蓄電池残量（３０％）が、停電用蓄電池残量（３０％）以下となった例を示している。この場合、制御部４０は、蓄電池３２からの電力の放電を禁止する。この場合、負荷Ｈへ系統電源Ｋからの電力が供給（買電）される。
【００７７】
図８では、第一蓄電システム１０及び第二蓄電システム２０は、蓄電池１２・２２の蓄電池残量が、放電量の均等化のために設定された蓄電池残量設定値以下となったために放電が禁止されている。しかし、この場合、電力の放電が可能（蓄電池残量が停電用蓄電池残量以上）な蓄電池１２・２２の放電を禁止した状態で、系統電源Ｋから電力が供給（買電）されることとなり、本来必要がない買電が発生する。
【００７８】
制御部４０は、売電状態または買電状態と判断した場合に、上記判断結果に基づいて、第一蓄電システム１０、第二蓄電システム２０及び第三蓄電システム３０の蓄電池残量設定値を変更する制御が可能である。
【００７９】
以下では、図９に示す蓄電池残量設定値を変更する蓄電池残量変更処理について説明する。蓄電池残量変更処理は、制御部４０により繰り返し実行される。
【００８０】
まず、ステップＳ２１０において、制御部４０は、売電状態であるか否かを判断する。制御部４０は、売電状態であると判断した場合には、ステップＳ２２０へ移行する。一方、制御部４０は、売電状態でないと判断した場合には、ステップＳ２４０へ移行する。なお、以下では、ステップＳ２４０からステップＳ２６０までを先に説明する。
【００８１】
ステップＳ２４０において、制御部４０は、買電状態であるか否かを判断する。制御部４０は、買電状態であると判断した場合には、ステップＳ２５０へ移行する。一方、制御部４０は、買電状態でないと判断した場合には、蓄電池残量変更処理を終了する。
【００８２】
ステップＳ２５０において、制御部４０は、第一蓄電システム１０、第二蓄電システム２０及び第三蓄電システム３０において、蓄電池１２・２２・３２の蓄電池残量が、蓄電池残量設定値以下のものがあるか否かを判断する。制御部４０は、蓄電池１２・２２・３２の蓄電池残量が、蓄電池残量設定値以下のものがあると判断した場合には、ステップＳ２６０へ移行する。一方、制御部４０は、蓄電池１２・２２・３２の蓄電池残量が、蓄電池残量設定値以下のものがないと判断した場合には、蓄電池残量変更処理を終了する。
【００８３】
ステップＳ２６０において、制御部４０は、蓄電池１２・２２・３２の蓄電池残量が、蓄電池残量設定値以下である蓄電システム（第一蓄電システム１０、第二蓄電システム２０及び第三蓄電システム３０）のうち、放電優先順位が最も高いものの蓄電池残量設定値を、停電用蓄電池残量に変更する。制御部４０は、ステップＳ２６０が終了すれば、蓄電池残量変更処理を終了する。
【００８４】
以下、図８、図１０及び図１１を参照して、ステップＳ２４０からステップＳ２６０までの蓄電池残量変更処理の一例について説明する。
【００８５】
図８では、上述したように、第一蓄電システム１０、第二蓄電システム２０及び第三蓄電システム３０の蓄電池１２・２２・３２からの放電が禁止され、系統電源Ｋからの電力を負荷Ｈに供給している例を示している。この場合、制御部４０は、買電状態であると判断する（ステップＳ２４０：ＹＥＳ）。
【００８６】
図８に示す場合では、蓄電池１２・２２の蓄電池残量は、それぞれ７０％、５０％であり、蓄電池３２の蓄電池残量は停電用蓄電池残量（３０％）である。したがって、制御部４０は、蓄電池１２・２２の蓄電池残量が、蓄電池残量設定値以下であると判断する（ステップＳ２５０：ＹＥＳ）。
【００８７】
また、制御部４０は、蓄電池残量が蓄電池残量設定値以下である蓄電池１２・２２のうち、放電優先順位が最も高い第二蓄電システム２０の蓄電池残量設定値を、停電用蓄電池残量に変更する（ステップＳ２６０）。
【００８８】
図１０は、第二蓄電システム２０の蓄電池残量設定値（５０％）を停電用蓄電池残量（３０％）に変更した例を示している。これにより、蓄電池２２の蓄電池残量が、停電用蓄電池残量（３０％）以下となるまで蓄電池２２の放電が可能となる。
【００８９】
また、図９に示す蓄電池残量変更処理が繰り替えされることで、制御部４０は、買電状態であると判断した場合（ステップＳ２４０：ＹＥＳ）、第一蓄電システム１０の蓄電池残量設定値を、停電用蓄電池残量に変更する（ステップＳ２５０：ＹＥＳ、ステップＳ２６０）。
【００９０】
図１１は、第一蓄電システム１０の蓄電池残量設定値（７０％）を停電用蓄電池残量（３０％）に変更した例を示している。これにより、蓄電池１２の蓄電池残量が、停電用蓄電池残量（３０％）以下となるまで蓄電池１２の放電が可能となる。
【００９１】
上記制御を実行したことで、蓄電池１２・２２・３２の放電量の均等化を図りながらも、本来必要がない買電を回避することができる。すなわち、図８で示したように、放電量の均等化の観点から、蓄電池１２・２２の蓄電池残量が蓄電池残量設定値以下となったために放電が禁止されているような場合、電力の放電が可能（蓄電池残量が停電用蓄電池残量以上）な蓄電池１２・２２の放電を禁止した状態で、系統電源Ｋから電力が供給（買電）され、本来必要がない買電が発生することが考えられる。
【００９２】
そこで、制御部４０は、買電状態において、蓄電池１２・２２・３２の蓄電池残量が、蓄電池残量設定値以下のものがあれば、当該蓄電池１２・２２・３２を有する蓄電システム（第一蓄電システム１０、第二蓄電システム２０及び第三蓄電システム３０）の蓄電池残量設定値を停電用蓄電池残量に変更する。これにより、蓄電池１２・２２・３２の蓄電池残量が停電用蓄電池残量以下となるまで放電させることができ、電力の放電が可能（蓄電池残量が停電用蓄電池残量以上）な蓄電池１２・２２・３２の放電を禁止した状態で、本来必要がない買電が行なわれることを回避することができる。また、第一蓄電システム１０、第二蓄電システム２０及び第三蓄電システム３０のうち、放電優先順位が最も高いものから蓄電池残量設定値を停電用蓄電池残量に変更する構成としているので、蓄電池１２・２２・３２の放電量の均等化を図ることができる。
【００９３】
また、図９に示すステップＳ２１０において、売電状態であると判断された場合に移行するステップＳ２２０において、制御部４０は、第一蓄電システム１０、第二蓄電システム２０及び第三蓄電システム３０において、停電用蓄電池残量が設定されたものがあるか否かを判断する。制御部４０は、停電用蓄電池残量が設定された蓄電システム（第一蓄電システム１０、第二蓄電システム２０及び第三蓄電システム３０）があると判断した場合には、ステップＳ２３０へ移行する。一方、制御部４０は、停電用蓄電池残量が設定された蓄電システム（第一蓄電システム１０、第二蓄電システム２０及び第三蓄電システム３０）がないと判断した場合には、蓄電池残量変更処理を終了する。
【００９４】
ステップＳ２３０において、制御部４０は、停電用蓄電池残量が設定された蓄電システム（第一蓄電システム１０、第二蓄電システム２０及び第三蓄電システム３０）のうち、放電優先順位が最も低いものについて、停電用蓄電池残量を、蓄電池残量設定値に変更する設定を行なう。制御部４０は、ステップＳ２３０が終了すれば、蓄電池残量変更処理を終了する。
【００９５】
以下、図１２を参照して、ステップＳ２１０からステップＳ２３０までの蓄電池残量変更処理の一例について説明する。
【００９６】
図１２では、図１１の電力供給システム１において、第三蓄電システム３０からの電力を系統電源Ｋへ逆潮流させた例を示している。この場合、制御部４０は、売電状態であると判断する（ステップＳ２１０：ＹＥＳ）。また、図１２に示した例では、全ての蓄電システム（第一蓄電システム１０、第二蓄電システム２０及び第三蓄電システム３０）において、停電用蓄電池残量が設定されているので、制御部４０は、停電用蓄電池残量が設定された蓄電システム（第一蓄電システム１０、第二蓄電システム２０及び第三蓄電システム３０）があると判断する（ステップＳ２２０：ＹＥＳ）。
【００９７】
図１２に示すように、制御部４０は、第一蓄電システム１０、第二蓄電システム２０及び第三蓄電システム３０のうち、放電優先順位が最も低い第一蓄電システム１０について停電用蓄電池残量を蓄電池残量設定値に変更する設定を行なう（ステップＳ２３０）。
【００９８】
また、図９に示す蓄電池残量変更処理が繰り替えされることで、制御部４０は、売電状態であると判断した場合（ステップＳ２１０：ＹＥＳ）、第二蓄電システム２０及び第三蓄電システム３０のうち放電優先順位が最も低い第二蓄電システム２０について停電用蓄電池残量を蓄電池残量設定値に変更する設定を行なう（ステップＳ２２０：ＹＥＳ、ステップＳ２３０）。
【００９９】
また、図９に示す蓄電池残量変更処理が繰り替えされることで、制御部４０は、売電状態であると判断した場合（ステップＳ２１０：ＹＥＳ）、第三蓄電システム３０について停電用蓄電池残量を蓄電池残量設定値に変更する設定を行なう（ステップＳ２２０：ＹＥＳ、ステップＳ２３０）。
【０１００】
以上の如く、本実施形態に係る電力供給システム１は、
系統電源Ｋと負荷Ｈとを接続する電路（電力経路Ｌ）に接続され、前記負荷Ｈへ電力を供給可能な複数の供給部（蓄電システム（第一蓄電システム１０、第二蓄電システム２０及び第三蓄電システム３０））を具備する電力供給システム１であって、
前記蓄電システム（第一蓄電システム１０、第二蓄電システム２０及び第三蓄電システム３０）は、
前記電力経路Ｌを流通する電力を検出可能な検出部（センサ１４・２４・３４）と、
電力を充電可能であると共に、前記センサ１４・２４・３４の検出値に基づいて当該充電された電力を放電する負荷追従運転を行うことで前記負荷Ｈへと電力を供給可能な蓄電池１２・２２・３２と、
を具備し、
前記電力供給システム１は、
前記蓄電池１２・２２・３２の放電電力量に基づいて算出した第一の残量設定値（蓄電池残量設定値）を前記複数の蓄電システム（第一蓄電システム１０、第二蓄電システム２０及び第三蓄電システム３０）にそれぞれ設定し、前記蓄電池１２・２２・３２の蓄電池残量が前記蓄電池残量設定値以下となると当該蓄電池１２・２２・３２の放電を禁止する制御部４０を具備するものである。
【０１０１】
このように構成することにより、複数の蓄電池１２・２２・３２が接続された電力供給システムにおいて、蓄電池１２・２２・３２の放電量の均等化を図ることができる。すなわち、蓄電池１２・２２・３２の蓄電池残量が、当該蓄電池１２・２２・３２の放電電力量に基づいて算出した蓄電池残量設定値以下となれば、蓄電池１２・２２・３２の放電が禁止される。これにより、蓄電池１２・２２・３２のうち、他の蓄電池と比べて放電電力量が大きいものについて、他の蓄電池よりも大きい蓄電池残量設定値を設定すれば、当該蓄電池の放電電力量を少なくすることができ、複数の蓄電池１２・２２・３２の放電量の均等化を図ることができる。
【０１０２】
また、前記制御部４０は、
前記蓄電池１２・２２・３２の直近の所定期間の放電電力量を用いて前記蓄電池残量設定値を算出するものである。
【０１０３】
このように構成することにより、各蓄電池１２・２２・３２との間で値の差が比較的少ない直近の所定期間の放電電力量を用いて蓄電池残量設定値を算出することができる。
【０１０４】
また、前記蓄電システム（第一蓄電システム１０、第二蓄電システム２０及び第三蓄電システム３０）は、
前記蓄電池残量設定値以下の値とされる第二の残量設定値（停電用蓄電池残量）が設定されており、
前記制御部４０は、
前記複数の蓄電システム（第一蓄電システム１０、第二蓄電システム２０及び第三蓄電システム３０）のうち、前記蓄電池１２・２２・３２の積算放電電力量が小さいものから順番に、前記蓄電池１２・２２・３２の放電優先順位を決定し、
前記系統電源Ｋからの電力が前記負荷Ｈへと供給された場合、
前記複数の蓄電池１２・２２・３２のうち蓄電池残量が前記蓄電池残量設定値以下となったものがあれば、当該蓄電池１２・２２・３２を有する蓄電システム（第一蓄電システム１０、第二蓄電システム２０及び第三蓄電システム３０）のうち、前記放電優先順位が最も高いものの前記蓄電池残量設定値を、前記停電用蓄電池残量に変更する設定を行い、前記蓄電池１２・２２・３２の蓄電池残量が前記停電用蓄電池残量以下となると当該蓄電池１２・２２・３２の放電を禁止するものである。
【０１０５】
このように構成することにより、複数の蓄電池１２・２２・３２の放電量の均等化を図りながらも、本来必要がない買電が行なわれることを回避することができる。すなわち、系統電源Ｋからの電力が負荷Ｈへと供給（買電）された場合、蓄電池残量が蓄電池残量設定値以下となった蓄電システム（第一蓄電システム１０、第二蓄電システム２０及び第三蓄電システム３０）の蓄電池残量設定値を、前記停電用蓄電池残量に変更する設定を行うことができ、電力の放電が可能（蓄電池残量が停電用蓄電池残量以上）な蓄電池１２・２２・３２の放電を禁止した状態で、本来必要がない買電が行なわれることを回避することができる。また、第一蓄電システム１０、第二蓄電システム２０及び第三蓄電システム３０のうち、放電優先順位が最も高いものの蓄電池残量設定値を停電用蓄電池残量に変更する構成としているので、蓄電池１２・２２・３２の放電量の均等化を図ることができる。
【０１０６】
前記蓄電システム（第一蓄電システム１０、第二蓄電システム２０及び第三蓄電システム３０）は、
自然エネルギーを利用して発電可能であると共に当該発電された電力を負荷Ｈ及び前記蓄電池１２・２２・３２へと供給可能な発電部（太陽光発電部１１・２１・３１）を具備し、
前記制御部４０は、
前記太陽光発電部１１・２１・３１によって発電された電力が前記系統電源Ｋへと逆潮流された場合、
前記複数の蓄電システム（第一蓄電システム１０、第二蓄電システム２０及び第三蓄電システム３０）のうち前記停電用蓄電池残量が設定されたものがあれば、当該停電用蓄電池残量が設定された蓄電システム（第一蓄電システム１０、第二蓄電システム２０及び第三蓄電システム３０）のうち、前記放電優先順位が最も低いものについて、前記停電用蓄電池残量を前記蓄電池残量設定値に変更する設定を行なうものである。
【０１０７】
このように構成することにより、蓄電池１２・２２・３２の放電量の均等化を図ることができる。すなわち、停電用蓄電池残量が設定された蓄電システム（第一蓄電システム１０、第二蓄電システム２０及び第三蓄電システム３０）のうち、放電優先順位が最も低いものの停電用蓄電池残量を蓄電池残量設定値に変更することで、蓄電池１２・２２・３２の放電量の均等化を図ることができる。
【０１０８】
なお、本実施形態に係る第一蓄電システム１０、第二蓄電システム２０及び第三蓄電システム３０は、本発明の供給部の実施の一形態である。
また、本実施形態に係る太陽光発電部１１・２１・３１は、本発明の発電部の実施の一形態である。
また、本実施形態に係るセンサ１４・２４・３４は、本発明の検出部の実施の一形態である。
また、本実施形態に係る電力経路Ｌは、本発明の電路の実施の一形態である。
また、本実施形態に係る蓄電池残量設定値は、本発明の第一の残量設定値の実施の一形態である。
また、本実施形態に係る停電用蓄電池残量は、本発明の第二の残量設定値の実施の一形態である。
また、本実施形態に係る前日の放電電力量は、本発明の直近の所定期間の放電電力量の実施の一形態である。
また、本実施形態に係る当日までの積算放電電力量は、本発明の積算放電電力量の実施の一形態である。
【０１０９】
以上、本発明の実施形態を説明したが、本発明は上記構成に限定されるものではなく、特許請求の範囲に記載された発明の範囲内で種々の変更が可能である。
【０１１０】
例えば、本実施形態では、電力供給システム１は、集合住宅に設けられるものとしたが、これに限定されるものではなく、例えば、オフィス等に設けられるものであってもよい。
【０１１１】
また、本実施形態において蓄電システム（第一蓄電システム１０、第二蓄電システム２０及び第三蓄電システム３０）の台数は、３台であるものとしたが、これに限定されるものではなく、２台以上の任意の台数とすることができる。
【０１１２】
また、発電部は、太陽光を利用して発電する太陽光発電部１１・２１・３１であるものとしたが、自然エネルギー（例えば、水力や風力）を利用して発電するものであれば、これに限定されるものではない。
【０１１３】
また、本実施形態において、ハイブリッドパワコン１３によって、蓄電池１２の蓄電池残量が蓄電池残量設定値または停電用蓄電池残量となると当該蓄電池の放電を禁止する制御を行なう構成としているが、これに限定されるものではなく、制御部４０によって前記蓄電池の放電を禁止する制御を行なう構成としてもよい。
【０１１４】
また、本実施形態において、蓄電システム（第一蓄電システム１０、第二蓄電システム２０及び第三蓄電システム３０）は、発電部及びハイブリッドパワコン１３・２３・３３を具備するものとしているが、これに限定されるものではなく、発電部及びハイブリッドパワコン１３・２３・３３を具備しないものとしてもよい。
【０１１５】
また、本実施形態において、前日の放電電力量を用いて蓄電池残量設定値を算出しているが、これに限定されるものではなく、直近の所定期間の放電電力量を用いて蓄電池残量設定値を算出してもよい。
【０１１６】
また、本実施形態において、複数の蓄電システム（第一蓄電システム１０、第二蓄電システム２０及び第三蓄電システム３０）のうち、蓄電池１２・２２・３２の当日までの積算放電電力量が小さいものから順番に、蓄電池１２・２２・３２の放電優先順位を決定しているが、これに限定されるものではなく、任意に定めた期間の積算放電電力量に基づいて放電優先順位を決定してもよい。
【０１１７】
また、本実施形態において、制御部４０は、蓄電システム（第一蓄電システム１０、第二蓄電システム２０及び第三蓄電システム３０）について、買電状態において蓄電池残量設定値を停電用蓄電池残量に変更し、売電状態において停電用蓄電池残量を蓄電池残量設定値に変更する構成としたが、これに限定されるものではない。例えば、制御部４０は、買電状態または売電状態において、段階的に蓄電池残量設定値を変更する構成としてもよい。
【符号の説明】
【０１１８】
１                電力供給システム
１０              第一蓄電システム（供給部）
１１              太陽光発電部（発電部）
１２              蓄電池
１３              ハイブリッドパワコン
１４              センサ（検出部）
２０              第二蓄電システム（供給部）
２１              太陽光発電部（発電部）
２２              蓄電池
２３              ハイブリッドパワコン
２４              センサ（検出部）
３０              第三蓄電システム（供給部）
３１              太陽光発電部（発電部）
３２              蓄電池
３３              ハイブリッドパワコン
３４              センサ（検出部）
４０              制御部
Ｈ                負荷
Ｋ                系統電源
Ｌ                電力経路（電路）
【図１】
2019106775.tif 000003
【図２】
2019106775.tif 000004
【図３】
2019106775.tif 000005
【図４】
2019106775.tif 000006
【図５】
2019106775.tif 000007
【図６】
2019106775.tif 000008
【図７】
2019106775.tif 000009
【図８】
2019106775.tif 000010
【図９】
2019106775.tif 000011
【図１０】
2019106775.tif 000012
【図１１】
2019106775.tif 000013
【図１２】
2019106775.tif 000014